(57)【要約】【課題】効率的に通信を行うことができる端末装置、基地局装置、通信方法および集積回路に関する技術を提供すること。【解決手段】第１のサブキャリア間隔で報知される第１のシステム情報を受信する受信部と、第１のシステム情報に含まれる１つまたは複数の第２のサブキャリア間隔に関する情報に基づき、第２のサブキャリア間隔の１つを選択する制御部と、第２のサブキャリア間隔で信号を送信する送信部とを端末装置が備え、第２のサブキャリア間隔に関する情報には少なくともランダムアクセスに必要なパラメータを含む第２のシステム情報のスケジューリング情報が含まれる。【選択図】図５
2019208082.tif 000002
【特許請求の範囲】
【請求項１】
基地局装置とセルを介して通信する端末装置であって、
第１のサブキャリア間隔で報知される第１のシステム情報を受信する受信部と、
前記第１のシステム情報に含まれる１つまたは複数の第２のサブキャリア間隔に関する情報に基づき、第２のサブキャリア間隔の１つを選択する制御部と、
前記第２のサブキャリア間隔で信号を送信する送信部とを備え、
前記第２のサブキャリア間隔に関する情報には少なくともランダムアクセスに必要なパラメータを含む第２のシステム情報のスケジューリング情報が含まれる
ことを特徴とする端末装置。
【請求項２】
前記第２のシステム情報は第１のサブキャリア間隔で報知される
請求項１記載の端末装置。
【請求項３】
前記第２のサブキャリア間隔に関する情報には下りリンクのサブキャリア間隔に関する情報が含まれ、前記第２のシステム情報には、上りリンクのサブキャリア間隔に関する情報が含まれる
請求項１記載の端末装置。
【請求項４】
前記第１のシステム情報にはシステム情報の更新により値が変化するバリュータグが含まれ、前記バリュータグは前記１つまたは複数の第２のサブキャリア間隔に関する情報と同じ数だけ含まれる
請求項１記載の端末装置。
【請求項５】
端末装置とセルを介して通信する基地局装置であって、
第１のシステム情報を第１のサブキャリア間隔で送信する送信部と、
前記セルで使用される１つまたは複数の第２のサブキャリア間隔に関する情報を、前記第１のシステム情報に含める制御部とを備え、
前記第２のサブキャリア間隔に関する情報には少なくともランダムアクセスに必要なパラメータを含む第２のシステム情報のスケジューリング情報が含まれる
ことを特徴とする基地局装置。
【請求項６】
基地局装置とセルを介して通信する端末装置に適用される通信方法であって、
第１のサブキャリア間隔で報知される第１のシステム情報を受信するステップと、
前記第１のシステム情報に含まれる１つまたは複数の第２のサブキャリア間隔に関する情報に基づき、第２のサブキャリア間隔の１つを選択するステップと、
前記第２のサブキャリア間隔で信号を送信するステップとを少なくとも含み、
前記第２のサブキャリア間隔に関する情報には少なくともランダムアクセスに必要なパラメータを含む第２のシステム情報のスケジューリング情報が含まれる
ことを特徴とする通信方法。
【請求項７】
基地局装置とセルを介して通信する端末装置に実装される集積回路であって、
第１のサブキャリア間隔で報知される第１のシステム情報を受信する機能と、
前記第１のシステム情報に含まれる１つまたは複数の第２のサブキャリア間隔に関する情報に基づき、第２のサブキャリア間隔の１つを選択する機能と、
前記第２のサブキャリア間隔で信号を送信する機能とを前記端末装置に対して発揮させ、
前記第２のサブキャリア間隔に関する情報には少なくともランダムアクセスに必要なパラメータを含む第２のシステム情報のスケジューリング情報が含まれる
ことを特徴とする集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。また、３ＧＰＰにおいて、第５世代のセルラーシステムに向けた無線アクセス方式および無線ネットワーク技術として、ＬＴＥの拡張技術であるＬＴＥ―Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【０００３】
第５世代のセルラーシステムでは、高速・大容量伝送を実現するｅＭＢＢ（ｅｎｈａｎｃｅｄ  Ｍｏｂｉｌｅ  ＢｒｏａｄＢａｎｄ）、低遅延・高信頼通信を実現するＵＲＬＬＣ（Ｕｌｔｒａ―Ｒｅｌｉａｂｌｅ  ａｎｄ  Ｌｏｗ  Ｌａｔｅｎｃｙ  Ｃｏｍｍｕｎｉｃａｔｉｏｎ）、ＩｏＴ（Ｉｎｔｅｒｎｅｔ  ｏｆ  Ｔｈｉｎｇｓ）などマシン型デバイスが多数接続するｍＭＴＣ（ｍａｓｓｉｖｅ  Ｍａｃｈｉｎｅ  Ｔｙｐｅ  Ｃｏｍｍｕｎｉｃａｔｉｏｎ）の3つがサービスの想定シナリオとして要求されている。
【０００４】
またＮＲでは、異なる複数のサブキャリア間隔を用いて通信することが検討されており（非特許文献２）、端末装置は、異なる複数のサブキャリア間隔のうちのいずれのサブキャリア間隔を用いて基地局装置と通信するかを特定する必要がある。
【先行技術文献】
【非特許文献】
【０００５】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年6月
【非特許文献２】３ＧＰＰ  Ｒ１−１６６８７８  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿８６／Ｄｏｃｓ／Ｒ１−１６６８７８．ｚｉｐ
【発明の概要】
【発明が解決しようとする課題】
【０００６】
しかしながら、ＮＲでは、異なる複数のサブキャリア間隔のうちのあるサブキャリア間隔から他のサブキャリア間隔に変更して通信を行う方法が検討されておらず、基地局装置と端末装置との通信を、効率的に行うことができないという課題があった。
【０００７】
本発明の一態様は、上記した事情に鑑みてなされたもので、基地局装置との通信を効率的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００８】
（１）上記の目的を達成するために、本発明の一態様は、以下のような手段を講じた。
すなわち、本発明の第１の態様は、基地局装置とセルを介して通信する端末装置であって、第１のサブキャリア間隔で報知される第１のシステム情報を受信する受信部と、前記第１のシステム情報に含まれる１つまたは複数の第２のサブキャリア間隔に関する情報に基づき、第２のサブキャリア間隔の１つを選択する制御部と、前記第２のサブキャリア間隔で信号を送信する送信部とを備え、前記第２のサブキャリア間隔に関する情報には少なくともランダムアクセスに必要なパラメータを含む第２のシステム情報のスケジューリング情報が含まれる。
【０００９】
（２）本発明の第２の態様は、端末装置とセルを介して通信する基地局装置であって、第１のシステム情報を第１のサブキャリア間隔で送信する送信部と、前記セルで使用される１つまたは複数の第２のサブキャリア間隔に関する情報を、前記第１のシステム情報に含める制御部とを備え、前記第２のサブキャリア間隔に関する情報には少なくともランダムアクセスに必要なパラメータを含む第２のシステム情報のスケジューリング情報が含まれる。
【００１０】
（３）本発明の第３の態様は、基地局装置とセルを介して通信する端末装置に適用される通信方法であって、第１のサブキャリア間隔で報知される第１のシステム情報を受信するステップと、前記第１のシステム情報に含まれる１つまたは複数の第２のサブキャリア間隔に関する情報に基づき、第２のサブキャリア間隔の１つを選択するステップと、前記第２のサブキャリア間隔で信号を送信するステップとを少なくとも含み、前記第２のサブキャリア間隔に関する情報には少なくともランダムアクセスに必要なパラメータを含む第２のシステム情報のスケジューリング情報が含まれる。
【００１１】
（４）本発明の第４の態様は、基地局装置とセルを介して通信する端末装置に実装される集積回路であって、第１のサブキャリア間隔で報知される第１のシステム情報を受信する機能と、前記第１のシステム情報に含まれる１つまたは複数の第２のサブキャリア間隔に関する情報に基づき、第２のサブキャリア間隔の１つを選択する機能と、前記第２のサブキャリア間隔で信号を送信する機能とを前記端末装置に対して発揮させ、前記第２のサブキャリア間隔に関する情報には少なくともランダムアクセスに必要なパラメータを含む第２のシステム情報のスケジューリング情報が含まれる。
【発明の効果】
【００１２】
本発明の一態様によれば、端末装置および基地局装置は、効率的に通信を行うことができる。
【図面の簡単な説明】
【００１３】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係るサブフレーム構成の一例を示す図である。
【図５】本発明の実施形態に係るヌメロロジー変更手順の一例を示す図である。
【図６】本発明の実施形態に係るヌメロロジー変更手順の別の一例を示す図である。
【図７】本発明の実施形態に係るヌメロロジー変更手順の別の一例を示す図である。
【発明を実施するための形態】
【００１４】
以下、本発明の実施形態について説明する。
【００１５】
本実施形態の無線通信システム、および無線ネットワークについて説明する。
【００１６】
ＬＴＥ（およびＬＴＥ−Ａ  Ｐｒｏ）とＮＲは、異なるＲＡＴ（Radio Access Technology）として定義されてもよい。ＮＲは、ＬＴＥに含まれる技術として定義されてもよい
。本実施形態はＮＲ、ＬＴＥおよび他のＲＡＴに適用されてよい。以下の説明では、ＬＴＥに関連する用語を用いて説明するが、他の用語を用いる他の技術においても適用されてもよい。
【００１７】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ）にわけ、それぞれの部分領域において端末装置２をサーブしてもよい。ここで、部分領域は、ビームフォーミングで使用されるビームのインデックスあるいはプリコーディングのインデックスに基づいて識別されてもよい。
【００１８】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００１９】
基地局装置３から端末装置２への無線通信リンクを下りリンクと称する。端末装置２から基地局装置３への無線通信リンクを上りリンクと称する。端末装置２から他の端末装置２への無線通信リンクをサイドリンクと称する。
【００２０】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フーリエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２１】
また、図１において、端末装置２と基地局装置３の間の無線通信および／または端末装置２と他の端末装置２の間の無線通信では、ユニバーサルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置２と基地局装置３の間の無線通信および／または端末装置２と他の端末装置２の間の無線通信では、ＣＰを用いない、あるいはＣＰの代わりにゼ
ロパディングをした上述の伝送方式が用いられてもよい。また、ＣＰやゼロパディングは前方と後方の両方に付加されてもよい。
【００２４】
端末装置２は、セルの中を通信エリアとみなして動作する。端末装置２が、非無線接続時（アイドル状態、ＲＲＣ＿ＩＤＬＥ状態とも称する）はセル再選択手順によって別の適切なセルへ移動してもよい。端末装置２が、無線接続時（コネクティッド状態、ＲＲＣ＿ＣＯＮＮＥＣＴＥＤ状態とも称する）はハンドオーバ手順によって別の適切なセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。
【００２５】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ）と称して、その他の通信に使用されないセルは周辺セル（Ｎｅｉｇｈｂｏｒｉｎｇ  ｃｅｌｌ）と称してもよい。また、在圏セルにおいて必要となるシステム情報の一部あるいは全部を端末装置２に報知または通知する周辺セルのことを補助セルとも称する。
【００２６】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオーバプロシージャにおいてプライマリセルと指示されたセルである。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。
【００２７】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００２８】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２９】
本実施形態の物理チャネルおよび物理シグナルについて説明する。
【００３０】
図１において、端末装置２と基地局装置３の無線通信では、以下の物理チャネルが用いられる。物理チャネルは、上位層から出力された情報を送信するために使用される。
・ＰＢＣＨ（Ｐｈｙｓｉｃａｌ  Ｂｒｏａｄｃａｓｔ  ＣＨａｎｎｅｌ）
・ＰＣＣＨ（Ｐｈｙｓｉｃａｌ  Ｃｏｎｔｒｏｌ  ＣＨａｎｎｅｌ）
・ＰＳＣＨ（Ｐｈｙｓｉｃａｌ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３１】
ＰＢＣＨは、端末装置２が必要とする重要情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックには複数の無線フレームで構成されるスーパーフレーム内における位置に関する情報（例えば、スーパーフレーム内におけるフレーム番号（ＳＦＮ：Ｓｙｓｔｅｍ  Ｆｒａｍｅ  Ｎｕｍｂｅｒ）の一部あるいは全部を示す情報）が含まれてもよい。また、セル内の領域ごとに異なる重要情報ブロックが送信される場合には領域を識別できる情報（例えば、領域を構成する送信ビームの識別子情報）が含まれてもよい。また例えば、重要情報には、セルへの接続やモビリティのために必要なシステム情報（ＳＩ：Ｓｙｓｔｅｍ  Ｉｎｆｏｒｍａｔｉｏｎ）の一部あるいは全部が含まれてもよい。システム情報は用途によって複数のブロック（システム情報ブロック）に分けられてもよい。システム情報メッセージが１つまたは複数のシステム情報ブロックで構成されてもよい。重要情報メッセージはシステム情報メッセージの一部であってもよい。
【００３２】
ＰＣＣＨは、上りリンクの無線通信（端末装置２から基地局装置３の無線通信）の場合には、上りリンク制御情報（Ｕｐｌｉｎｋ  Ｃｏｎｔｒｏｌ  Ｉｎｆｏｒｍａｔｉｏｎ：ＵＣＩ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００３３】
また、ＰＣＣＨは、下りリンクの無線通信（基地局装置３から端末装置２への無線通信）の場合には、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３４】
例えば、ＤＣＩとして、スケジューリングされたＰＳＣＨに含まれる信号が下りリンクの無線通信か上りリンクの無線通信かを示す情報を含むＤＣＩが定義されてもよい。
【００３５】
例えば、ＤＣＩとして、スケジューリングされたＰＳＣＨに含まれる下りリンクの送信期間を示す情報を含むＤＣＩが定義されてもよい。
【００３６】
例えば、ＤＣＩとして、スケジューリングされたＰＳＣＨに含まれる上りリンクの送信期間を示す情報を含むＤＣＩが定義されてもよい。
【００３７】
例えば、ＤＣＩとして、スケジューリングされたＰＳＣＨに対するＨＡＲＱ−ＡＣＫを送信するタイミング（例えば、ＰＳＣＨに含まれる最後のシンボルからＨＡＲＱ−ＡＣＫ送信までのシンボル数）示す情報を含むＤＣＩが定義されてもよい。
【００３８】
例えば、ＤＣＩとして、スケジューリングされたＰＳＣＨに含まれる下りリンクの送信期間、ギャップ、及び上りリンクの送信期間を示す情報を含むＤＣＩが定義されてもよい。
【００３９】
例えば、ＤＣＩとして、１つのセルにおける１つの下りリンクの無線通信ＰＳＣＨ（１つの下りリンクトランスポートブロックの送信）のスケジューリングのために用いられるＤＣＩが定義されてもよい。
【００４０】
例えば、ＤＣＩとして、１つのセルにおける１つの上りリンクの無線通信ＰＳＣＨ（１つの上りリンクトランスポートブロックの送信）のスケジューリングのために用いられるＤＣＩが定義されてもよい。
【００４１】
ここで、ＤＣＩには、ＰＳＣＨに上りリンクまたは下りリンクが含まれる場合にＰＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４２】
ＰＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）または下りリンクデータ（ＤＬ−ＳＣＨ：Ｄｏｗｎｌｉｎｋ  Ｓｈａｒｅｄ  ＣＨａｎｎｅｌ）の送信に用いられる。また、下りリンクの場合にはシステム情報やランダムアクセス応答（ＲＡＲ：Ｒａｎｄｏｍ  Ａｃｃｅｓｓ  Ｒｅｓｐｏｎｓｅ）などの送信にも用いられる。上りリンクの場合には、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４３】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。
【００４４】
ＰＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置２固有（ＵＥスペシフィック）な情報は、ある端末装置２に対して専用のシ
グナリングを用いて送信されてもよい。ＰＳＣＨは、上りリンクにおいてＵＥの能力（ＵＥ  Ｃａｐａｂｉｌｉｔｙ）の送信に用いられてもよい。
【００４５】
なお、ＰＣＣＨおよびＰＳＣＨは下りリンクと上りリンクで同一の呼称を用いているが、下りリンクと上りリンクで異なるチャネルが定義されてもよい。例えば、下りリンク用のＰＣＣＨをＰＤＣＣＨ（Ｐｈｙｓｉｃａｌ  Ｄｏｗｎｌｉｎｋ  Ｃｏｎｔｒｏｌ  ＣＨａｎｎｅｌ）と定義し、上りリンク用のＰＣＣＨをＰＵＣＣＨ（Ｐｈｙｓｉｃａｌ  Ｕｐｌｉｎｋ  Ｃｏｎｔｒｏｌ  ＣＨａｎｎｅｌ）と定義してもよい。例えば、下りリンク用のＰＳＣＨをＰＤＳＣＨ（Ｐｈｙｓｉｃａｌ  Ｄｏｗｎｌｉｎｋ  Ｓｈａｒｅｄ  ＣＨａｎｎｅｌ）と定義し、上りリンク用のＰＳＣＨをＰＵＳＣＨ（Ｐｈｙｓｉｃａｌ  Ｕｐｌｉｎｋ  Ｓｈａｒｅｄ  ＣＨａｎｎｅｌ）と定義してもよい。
【００４６】
ＰＲＡＣＨは、ランダムアクセスプリアンブル（ランダムアクセスメッセージ１）を送信するために用いられてもよい。ＰＲＡＣＨは、初期コネクション確立（ｉｎｉｔｉａｌ
ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００４７】
下りリンクグラント、または、上りリンクグラントに付加されるＣＲＣパリティビットには、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、Ｔｅｍｐｏｒａｒｙ  Ｃ−ＲＮＴＩ、ＳＰＳ  Ｃ−ＲＮＴＩなどの識別子情報が排他的論理和されてもよい。Ｃ−ＲＮＴＩおよびＳＰＳ  Ｃ−ＲＮＴＩは、セル内において端末装置２を識別するための識別子として使われてもよい。Ｔｅｍｐｏｒａｒｙ  Ｃ−ＲＮＴＩは、競合ベースランダムアクセス手順において用いられてもよい。
【００４８】
Ｃ−ＲＮＴＩは、１つのサブフレームにおけるＰＤＳＣＨまたはＰＵＳＣＨを制御するために用いられてもよい。ＳＰＳ  Ｃ−ＲＮＴＩは、ＰＤＳＣＨまたはＰＵＳＣＨのリソースを周期的に割り当てるために用いられてもよい。Ｔｅｍｐｏｒａｒｙ  Ｃ−ＲＮＴＩは、ランダムアクセス時に用いられてもよい。また、ＳＩ−ＲＮＴＩ（Ｓｙｓｔｅｍ  Ｉｎｆｏｒｍａｔｉｏｎ  ＲＮＴＩ）がシステム情報メッセージを識別するための識別子として使われてもよい。ＳＩ−ＲＮＴＩは、システム情報メッセージを報知（通知）するためのＰＤＳＣＨリソースを割り当てるために用いられてもよい。１つのシステム情報メッセージには１または複数のシステム情報ブロックが含まれてもよい。
【００４９】
図１において、下りリンクの無線通信では、以下の下りリンク物理シグナルが用いられてもよい。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００５０】
同期信号は、端末装置２が下りリンクの周波数領域および時間領域の同期をとるために用いられてもよい。同期信号は、ＰＳＳ（Ｐｒｉｍａｒｙ  Ｓｙｎｃｈｒｏｎｉｚａｔｉｏｎ  Ｓｉｇｎａｌ）、および／または、ＳＳＳ（Ｓｅｃｏｎｄ  Ｓｙｎｃｈｒｏｎｉｚａｔｉｏｎ  Ｓｉｇｎａｌ）を含んでもよい。また、同期信号は、下りリンクビームフォーミングにおいて基地局装置３が用いる基地局送信ビームおよび／または端末装置２が用いる端末受信ビームの選択／識別／決定に用いられて良い。すなわち、同期信号は、基地局装置３によって下りリンク信号に対して適用された基地局送信ビームのインデックスを、端末装置２が選択／識別／決定するために用いられてもよい。
【００５１】
下りリンクの参照信号（以下、単に、参照信号とも記載する）は、主に端末装置２が下りリンク物理チャネルの伝搬路補正を行なうために用いられる。すなわち、下りリンクの参照信号には、復調参照信号が含まれてもよい。下りリンクの参照信号は、端末装置２が下りリンクのチャネル状態情報を算出するために用いられてもよい。すなわち、下りリンクの参照信号には、チャネル状態情報参照信号が含まれてもよい。また、下りリンクの参照信号は、無線パラメータやサブキャリア間隔に対するヌメロロジーの決定や、ＦＦＴの窓同期などができる程度の細かい同期（Ｆｉｎｅ  ｓｙｎｃｈｒｏｎｉｚａｔｉｏｎ）に用いられてもよい。
【００５２】
下りリンク物理チャネルおよび下りリンク物理信号を総称して、下りリンク信号と称してもよい。上りリンク物理チャネルおよび上りリンク物理信号を総称して、上りリンク信号と称してもよい。
【００５３】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行なわれる。
【００５４】
本実施形態の無線プロトコル構造について説明する。
【００５５】
本実施形態では、端末装置２及び基地局装置３のユーザデータを扱うプロトコルスタックをユーザ平面（ＵＰ（Ｕｓｅｒ−ｐｌａｎｅ、Ｕ−Ｐｌａｎｅ））プロトコルスタック、制御データを扱うプロトコルスタックを制御平面（ＣＰ（Ｃｏｎｔｒｏｌ−ｐｌａｎｅ、Ｃ−Ｐｌａｎｅ））プロトコルスタックと称する。
【００５６】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置２と基地局装置３のＰＨＹ層間において、物理チャネルを介してデータの送受信が行われる。
【００５７】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００５８】
ＲＬＣ層は、上位層から受信したデータを分割（Ｓｅｇｍｅｎｔａｔｉｏｎ）及び結合(Ｃｏｎｃａｔｅｎａｔｉｏｎ)し、下位層が適切にデータ送信できるようにデータサイズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００５９】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６０】
さらに、制御平面プロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００６１】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６２】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。
【００６３】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００６４】
サブフレームについて説明する。本実施形態ではサブフレームと称するが、リソースユニット、無線フレーム、時間区間、時間間隔などと称されてもよい。また、１つまたは複数のサブフレームが１つの無線フレームを構成してもよい。
【００６５】
図４は、サブフレーム（サブフレームタイプ）の一例を示す。図４において、Ｄは下りリンク、Ｕは上りリンクを示している。図４に示されるように、ある時間区間内（例えば、システムにおいて１つのＵＥに対して割り当てなければならない最小の時間区間）においては、
・下りリンクパート
・ギャップ
・上りリンクパート
のうち１つまたは複数を含んでよい。
【００６６】
図４（ａ）は、ある時間区間（例えば、１ＵＥに割当可能な時間リソースの最小単位）で、全て下りリンク送信に用いられている例であり、図４（ｂ）は、最初の時間リソース
で例えばＰＣＣＨを介して上りリンクのスケジューリングを行い、ＰＣＣＨの処理遅延及び下りから上りの切り替え時間、送信信号の生成のためのギャップを介して上りリンク信号を送信する。図４（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（上りリンクのＰＳＣＨまたはＰＣＣＨ）に用いられている例である。
【００６７】
上述の下りリンクパート、上りリンクパートは、ＬＴＥと同様複数のＯＦＤＭシンボルで構成されてよい。
【００６８】
ここで、リソースグリッドが、複数のサブキャリアと複数のＯＦＤＭシンボルまたはＳＣ−ＦＤＭＡシンボルによって定義されてもよい。また、１つのスロットを構成するサブキャリアの数は、セルの帯域幅に依存してもよい。１つの下りリンクパート、上りリンクパートを構成するＯＦＤＭシンボルの数は１または２以上であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボル番号を用いて識別されてもよい。
【００６９】
基地局装置３は、図４のサブフレーム構成の信号を送信してよい。
【００７０】
次に、端末装置２がセルにキャンプする動作の一例について説明する。
【００７１】
端末装置２は、予め設定された基準ヌメロロジー（Ｒｅｆｅｒｅｎｃｅ  Ｎｕｍｅｒｏｌｏｇｙ）の通信パラメータに基づいてセルの検出を試みる。ここで基準ヌメロロジーの通信パラメータは仕様等で１つ定められてもよい。あるいは周波数および／またはその他の条件に関連付けられた複数の通信パラメータセットが定められ、端末装置２は受信する周波数および／またはその他の条件に応じて通信パラメータを選択するようにしてもよい。あるいは端末装置２は検出が成功するまで複数の通信パラメータセットを１セットずつ試してもよい（ブラインド検出）。
【００７２】
例えば、端末装置２は、基準ヌメロロジーの通信パラメータとして設定されたサブキャリア間隔や通信方式などに基づき、同期信号や参照信号の検出、および重要情報やシステム情報メッセージの取得を試みる。
【００７３】
具体的には、まず、端末装置２は、基準ヌメロロジーの通信パラメータに基づき、既知の系列の信号である同期信号を検出する。すなわち、同期信号は、端末装置２において既知である１つまたは複数の系列で構成される。
【００７４】
端末装置２は、同期信号を受信したタイミングから、この同期信号を送信するセルとの時間同期（シンボル同期）を確立することができる。さらに、同期信号がセル識別子情報の一部あるいは全部に基づいて生成された系列で構成される場合、端末装置２は受信した同期信号の系列を同定することにより、この同期信号を送信するセルのセル識別子情報の一部あるいは全部を同定できる。また、同期信号が異なる２つのサブフレームに配置される場合、端末装置２は、検出した同期信号の系列、サイクリックシフト、および／または
、同期信号の系列とサイクリックシフトの組み合わせなどから、無線フレーム内の時間位置を認識してもよい。
【００７５】
また、端末装置２は、同期信号が配置されているサブフレームの時間位置からＰＢＣＨおよび／またはシステム情報の一部を含むＰＳＣＨが配置されているサブフレームの時間位置を認識してもよい。例えば、ＰＢＣＨが配置される時間位置と、同期信号が配置（検出）される時間位置との関係は、仕様書などによって規定され、基地局装置３と端末装置２との間において既知の情報であってもよい。
【００７６】
ＰＢＣＨを復調するため（ＰＢＣＨの伝搬路補償のため）に用いることができる参照信号（ＰＢＣＨと同じアンテナポートで送信される参照信号）は、例えば、端末装置２において既知の系列であり、かつ、端末装置２において既知のリソースエレメントへの配置となるように設定される。例えば、参照信号は、サブフレームにおいて、セル識別子と対応付けられるリソースエレメントに配置されてもよい。また、例えば、参照信号の系列は、セル識別子および／またはサブフレーム番号と一意に対応付けられる系列が用いられてもよい。すなわち、セル識別子および／または当該参照信号が送信されるサブフレーム番号に基づいて、当該参照信号の系列が与えられてもよい。
【００７７】
端末装置２は、復調したＰＢＣＨに含まれる重要情報、または、復調したＰＢＣＨに含まれる情報に基づき復調した他のシステム情報（報知情報）に応じて、復調したＰＢＣＨが含まれるサブフレーム番号の同定を行なってもよい。なお、サブフレームの位置によって一意に生成される同期信号が用いられる場合では、サブフレーム番号の同定を、ＰＢＣＨの復調前に行ってもよい。
【００７８】
端末装置２は、ＰＢＣＨを復調してＭＩＢから情報を取得する。例えば、ＭＩＢに含まれる情報には、下記の（Ａ）から（Ｃ）の一部あるいは全部の情報が含まれてもよい。
（Ａ）下りリンクの帯域幅に関する情報
（Ｂ）スーパーフレーム番号情報
（Ｃ）システム情報のスケジューリングに関する情報
【００７９】
ここで、下りリンクの帯域幅に関する情報には、基準ヌメロロジーの下りリンクの帯域幅に関する情報が含まれてもよい。また、スーパーフレーム番号情報には、連続する既定の数のフレームで構成されるスーパーフレーム内の位置を示す情報が含まれてもよい。
【００８０】
また、システム情報のスケジューリングに関する情報には、第１のシステム情報ブロックのスケジューリングに関する情報が含まれてもよい。
【００８１】
第１のシステム情報ブロックには、例えば、端末装置２がセルへのアクセスが許されるか否かを評価するときに使用される情報や、他のシステム情報のスケジューリングに関する情報などが含まれてもよい。なお、第１のシステム情報ブロックに含まれる情報の一部あるいは全部は、重要情報ブロック（ＥＩＢ、ＭＩＢ）に含まれてもよい。
【００８２】
例えば、第１のシステム情報ブロックには下記の（Ａ）から（Ｄ）の一部あるいは全部の情報が含まれてもよい。
（Ａ）セルアクセス関連情報
（Ｂ）セル選択情報
（Ｃ）スケジューリング情報リスト
（Ｄ）バリュータグ（ＶａｌｕｅＴａｇ）
【００８３】
ここで、セルアクセス関連情報には、ＰＬＭＮ（Ｐｕｂｌｉｃ  Ｌａｎｄ  Ｍｏｂｉｌ
ｅ  Ｎｅｔｗｏｒｋ）識別子のリスト、１または隣接する複数のセルで構成されるエリア（トラッキングエリア）を識別するためのコード（トラッキングエリアコード）、セル識別子、セルが禁止セル（Ｂａｒｒｅｄ  Ｃｅｌｌ）であるか否かを示す情報、ＣＳＧ（Ｃｌｏｓｅｄ  Ｓｕｂｓｃｒｉｂｅｒ  Ｇｒｏｕｐ）セルか否かを示す情報、の一部あるいは全部が含まれてもよい。
【００８４】
また、セル選択情報には、セル選択基準に関する情報、例えば受信電力と比較するための閾値やオフセット値などが含まれてもよい。
【００８５】
また、スケジューリング情報リストには、１つまたは複数の「第２のシステム情報ブロックのスケジューリングに関する情報」、および／または「ＰＳＣＨで送信（報知）されるシステム情報メッセージのスケジューリングに関する情報」が含まれてもよい。
【００８６】
第１のシステム情報ブロックに含まれる「第２のシステム情報ブロックのスケジューリングに関する情報」には、セルでサポートするヌメロロジーに対応した１または複数のパラメータリストが含まれてもよい。パラメータリストのそれぞれには、第２のシステム情報が送信される周期（Ｐｅｒｉｏｄｉｃｉｔｙ）に関する情報が含まれてもよい。また、パラメータリストのそれぞれには、ヌメロロジーを識別できる情報、例えばヌメロロジーの識別子、および／または、下りリンクのサブキャリア間隔の情報などが含まれてもよい。また、パラメータリストのそれぞれには、当該ヌメロロジーでのアクセスが規制中であるか否かを示す情報が含まれてもよい。また、パラメータリストのそれぞれには、上りリンクのサブキャリア間隔の情報が含まれてもよい。また、パラメータリストのそれぞれには、下りリンクで使用される物理リソース（例えば時間位置および／または周波数位置）に関する情報が含まれてもよい。
【００８７】
端末装置２は、受信した第１のシステム情報ブロックのパラメータリストに、あるヌメロロジーのパラメータが含まれない場合、このセルではそのヌメロロジーをサポートしていないと判断（Ｃｏｎｓｉｄｅｒ）してもよい。例えば、パラメータリストに、ヌメロロジーを識別できる情報が含まれている場合には、当該情報に基づいてサポートの有無を判断してもよい。
【００８８】
第１のシステム情報ブロックに含まれる、「ＰＳＣＨで送信（報知）されるシステム情報メッセージのスケジューリングに関する情報」には、システム情報メッセージに対応した１または複数のパラメータリストが含まれてもよい。パラメータリストのそれぞれには、システム情報メッセージが送信される周期（Ｐｅｒｉｏｄｉｃｉｔｙ）に関する情報が含まれてもよい。また、パラメータリストのそれぞれには、システム情報メッセージに含まれるシステム情報ブロックの情報（リスト）が含まれてもよい。また、パラメータリストのそれぞれには、当該システム情報メッセージが周期的に送られるか否かを示す情報が含まれてもよい。例えば、端末装置２は、システム情報メッセージが送信される周期（Ｐｅｒｉｏｄｉｃｉｔｙ）に関する情報が特定の周期（周期０あるいは周期無限大など）である場合に当該システム情報メッセージが周期的に送られないと判断してもよい。また、例えば、端末装置２は、システム情報メッセージが送信される周期（Ｐｅｒｉｏｄｉｃｉｔｙ）に関する情報が含まれない場合に当該システム情報メッセージが周期的に送られないと判断してもよい。
【００８９】
端末装置２は、システム情報メッセージが周期的に送られない場合に、基地局装置３に対して報知を要求（希望）する信号（あるいはメッセージ）を送信してもよい。
【００９０】
バリュータグは、０からｎ（ｎは自然数。例えば３）までの値をとるパラメータであり、特定のシステム情報の変更があった場合にカウントアップ（１増加）する（ｎの次は０
に戻る）。このとき、例えば、基準ヌメロロジーのシステム情報が変更された場合のみカウントアップするようにしてもよい。または、セルでサポートするヌメロロジーの何れかのシステム情報が変更された場合にカウントアップしてもよい。または、ヌメロロジー毎にバリュータグが用意されてもよい。または、スケジューリング情報リストに含まれる第２のシステム情報ブロックの数に対応する数のバリュータグが用意されてもよい。バリュータグはさらにシステム情報メッセージ毎のリストとして用意されてもよい。複数のバリュータグが複数の第２のシステム情報ブロックに対応する場合、バリュータグの順番とスケジューリング情報リストに含まれる第２のシステム情報ブロックのパラメータリストの順番とが対応づけられてもよい。
【００９１】
また、バリュータグの値は、カウントアップではなくカウントダウン（１減少）してもよい（０の次はｎに戻る）。
【００９２】
端末装置２は、第１のシステム情報ブロックの情報に基づき、第２のシステム情報ブロックの受信（取得）を試みてよい。
【００９３】
ここで、第１のシステム情報ブロックの情報にヌメロロジーを識別できる情報が含まれるシステムの場合、第２のシステム情報ブロックは、そのヌメロロジーを識別できる情報に基づいて選択される第２のヌメロロジーで送信されるとみなして受信を試みてもよい。また、少なくとも第１のシステム情報ブロックの情報にサブキャリア間隔などを特定できる情報が含まれない場合には、第２のシステム情報ブロックは、基準ヌメロロジーで送信されるとみなして受信を試みてもよい。または、第２のシステム情報ブロックは、基準ヌメロロジーで送信されるとみなして受信を試みてもよい。また、端末装置２は、端末装置２の上位レイヤ（例えば非アクセス層）から通知（または要求、または設定）された情報および／または端末装置２がサポートする能力情報に基づき、取得および／または適用する第２のヌメロロジーを選択してもよい。また、端末装置２は、端末装置２の上位レイヤ（例えば非アクセス層）から通知（または要求、または設定）された情報および／または端末装置２がサポートする能力情報に基づき、選択すべき適切な第２のヌメロロジーがない場合には、引き続き基準ヌメロロジーを選択してもよい。
【００９４】
例えば、第２のシステム情報ブロックには下記の（Ａ）から（Ｆ）の一部あるいは全部の情報が含まれてもよい。
（Ａ）アクセスクラス規制（ＡＣＢ：Ａｃｃｅｓｓ  Ｃｌａｓｓ  Ｂａｒｒｉｎｇ）情報（Ｂ）無線リソース情報
（Ｃ）タイマーや定数
（Ｄ）上りリンク情報
（Ｅ）サイドリンク情報
（Ｆ）ランダムアクセスプリアンブルを選択するための測定情報
【００９５】
ここで、アクセスクラス規制情報には、アクセスクラス毎のアクセス規制情報およびその他のアクセス規制情報が含まれてもよい。端末装置２は、端末装置２が持つアクセスクラスとアクセスクラス規制情報とに基づき、上りリンク送信を行うか否かを判断してもよい。アクセスクラス規制情報がヌメロロジー毎の第２のシステム情報ブロックに含まれる場合、同一のアクセスクラスであってもヌメロロジー毎にアクセス規制を変えることができる。
【００９６】
また、無線リソース情報には、ランダムアクセスに関する情報が含まれてもよい。例えば、ランダムアクセスに関する情報として、使用可能なランダムアクセスプリアンブルの数に関する情報、パワーランピングに関する情報、最大再送回数、ランダムアクセス応答を待つウィンドウのサイズに関する情報の一部あるいは全部が含まれてもよい。また、無
線リソース情報には、ランダムアクセスプリアンブルに関する情報が含まれてもよい。例えば、ランダムアクセスプリアンブルに関する情報として、ランダムアクセスプリアンブルのルートシーケンスのインデックス情報、ランダムアクセスプリアンブルを送信する際の周波数リソースに関する情報、ランダムアクセスプリアンブルを送信する際のホッピングに関する情報、ランダムアクセスプリアンブルの１つのアテンプトに対する繰り返し送信回数情報の一部あるいは全部が含まれてもよい。端末装置２は、ランダムアクセスプリアンブルを選択するための測定情報に基づいた測定結果および／または無線リソース情報に基づいて使用するランダムアクセスプリアンブルを選択してもよい。
【００９７】
また、タイマーや定数には、無線リンク監視（Ｒａｄｉｏ  Ｌｉｎｋ  Ｍｏｎｔｏｒｉｎｇ）で用いられる無線リンク失敗を検出するための閾値やタイマーの値などが含まれてもよい。
【００９８】
また、上りリンク情報には、上りリンクで使用されるヌメロロジーの情報が含まれてもよい。例えば、上りリンク情報には、上りリンクの周波数、上りリンクの帯域幅、上りリンクのサブキャリア間隔、上りリンクのサンプリング周波数の一部あるいは全部が含まれてもよい。
【００９９】
また、サイドリンク情報には、サイドリンクで使用されるヌメロロジーの情報が含まれてもよい。ここでサイドリンクとは端末装置２と他の端末装置２間の直接通信（Ｄｉｒｅｃｔ  ｃｏｍｍｕｎｉｃａｔｉｏｎ）で用いられる無線通信リンクである。
【０１００】
端末装置２は第２のシステム情報ブロックに含まれる情報によって、各ヌメロロジーでの上りリンク送信あるいはサイドリンク送信（および／または受信）を開始することができる。なお、第２のシステム情報ブロックには基準ヌメロロジーの情報が含まれてもよい。第２のシステム情報ブロックに、第２のヌメロロジーに対するランダムアクセスに関する情報および／またはランダムアクセスプリアンブルに関する情報が含まれない場合に、端末装置２は、基準ヌメロロジーの情報に基づき、コネクションを確立するためのランダムアクセス手順（処理）で用いられるパラメータを設定してもよい。また、端末装置２は、常に基準ヌメロロジーの情報に基づき、コネクションを確立するためのランダムアクセス手順で用いられるパラメータを設定してもよい。また、コネクション確立後のランダムアクセス手順で用いられるパラメータはＰＣＣＨおよび／またはＰＳＣＨで通知されてもよい。
【０１０１】
端末装置２が第２のヌメロロジーでランダムアクセス手順を実施するまでの一例について図５を用いて説明する。
【０１０２】
図５において、端末装置２は、受信部に設定するパラメータとして基準ヌメロロジーの通信パラメータを設定する（ステップＳ５１）。端末装置２は、設定した受信パラメータで重要情報ブロックを受信する（ステップＳ５２）。さらに端末装置２は、第１のシステム情報を受信して１つまたは複数の下りリンクのサブキャリア情報を取得する（ステップＳ５３）。さらに端末装置２は、第２のシステム情報を受信して、ランダムアクセスに関する情報と、ランダムアクセスプリアンブルに関する情報と、上りリンクのサブキャリア情報を取得する（ステップＳ５４）。
【０１０３】
端末装置２は、第２のシステム情報から１つのヌメロロジーの情報を選択し、端末装置２の受信部および送信部に選択したヌメロロジーの情報に基づいたパラメータを設定して（ステップＳ５５）、ランダムアクセスプリアンブルを送信する（ステップＳ５６）。
【０１０４】
端末装置２が第２のヌメロロジーでランダムアクセス手順を実施するまでの別の一例に
ついて図６を用いて説明する。
【０１０５】
図６において、端末装置２は、受信部に設定するパラメータとして基準ヌメロロジーの通信パラメータを設定する（ステップＳ６１）。端末装置２は、設定した受信パラメータで重要情報ブロックを受信する（ステップＳ６２）。さらに端末装置２は、第１のシステム情報を受信して１つまたは複数の下りリンクのサブキャリア情報を取得する（ステップＳ６３）。
【０１０６】
端末装置２は、第１のシステム情報から１つのヌメロロジーの情報を選択し、端末装置２の受信部に選択したヌメロロジーの情報に基づいたパラメータを設定する（ステップＳ６４）。端末装置２は、第２のシステム情報を受信して、ランダムアクセスに関する情報と、ランダムアクセスプリアンブルに関する情報と、上りリンクのサブキャリア情報を取得する（ステップＳ６５）。端末装置２は、端末装置２の送信部に選択したヌメロロジーの情報に基づいたパラメータを設定してランダムアクセスプリアンブルを送信する（ステップＳ６６）。
【０１０７】
端末装置２が第２のヌメロロジーでランダムアクセス手順を実施するまでの別の一例について図７を用いて説明する。
【０１０８】
図７において、端末装置２は、受信部に設定するパラメータとして基準ヌメロロジーの通信パラメータを設定する（ステップＳ７１）。端末装置２は、設定した受信パラメータで重要情報ブロックを受信する（ステップＳ７２）。さらに端末装置２は、第１のシステム情報を受信して１つまたは複数の第２のシステム情報のスケジューリング情報を取得する（ステップＳ７３）。端末装置２は、第１のシステム情報に含まれるスケジューリング情報に基づいて第２のシステム情報を受信して、下りリンクのサブキャリア情報と、ランダムアクセスに関する情報と、ランダムアクセスプリアンブルに関する情報と、上りリンクのサブキャリア情報とを取得する（ステップＳ７４）。
【０１０９】
端末装置２は、端末装置２の受信部および送信部に受信した第２のシステム情報に基づくパラメータを設定して（ステップＳ７５）、ランダムアクセスプリアンブルを送信する（ステップＳ７６）。
【０１１０】
なお前記説明において、便宜上、「ヌメロロジー」という単語を使用して説明してきたが、システムで使用される以下のパラメータ（Ａ）から（Ｆ）の一部あるいは全部が異なる場合に、ヌメロロジーが異なるとみなしてもよい。
（Ａ）サンプリングレート
（Ｂ）サブキャリア間隔
（Ｃ）サブフレーム長
（Ｄ）ＯＦＤＭシンボル長
（Ｅ）１サブフレームに含まれるＯＦＤＭシンボル数
（Ｆ）同期シグナルおよび／または重要システム情報が送信されるアンテナポート
【０１１１】
本発明の実施形態における装置の構成について説明する。
【０１１２】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき
各部の動作を制御する制御部を別途備えてもよい。
【０１１３】
上位層処理部２４は、ユーザの操作等により生成された上りリンクデータ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０１１４】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジューリングリクエストの伝送の制御を行う。
【０１１５】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０１１６】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、データを変調、符号化することによって送信信号を生成し、基地局装置３に送信する。
【０１１７】
ＲＦ部２２は、アンテナ部２１を介して受信した信号を、直交復調によりベースバンド信号に変換し（ダウンコンバート: ｄｏｗｎ  ｃｏｖｅｒｔ）、不要な周波数成分を除去する。ＲＦ部２２は、処理をしたアナログ信号をベースバンド部に出力する。
【０１１８】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フーリエ変換（Ｆ
ａｓｔ  Ｆｏｕｒｉｅｒ  Ｔｒａｎｓｆｏｒｍ：ＦＦＴ）を行い、周波数領域の信号を抽出する。
【０１１９】
ベースバンド部２３は、データを逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０１２０】
ＲＦ部２２は、ローパスフィルタを用いてベースバンド部２３から入力されたアナログ信号から余分な周波数成分を除去し、アナログ信号を搬送波周波数にアップコンバート（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０１２１】
なお、端末装置２は、複数の周波数（周波数帯、周波数帯域幅）またはセルの同一サブ
フレーム内での送受信処理をサポートするために各部の一部あるいはすべてを複数備える構成であってもよい。
【０１２２】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０１２３】
上位層処理部３４は、媒体アクセス制御（ＭＡＣ： Ｍｅｄｉｕｍ  Ａｃｃｅｓｓ  Ｃ
ｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０１２４】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１２５】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノードから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０１２６】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０１２７】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケーション層処理部が存在している。
【０１２８】
なお、図中の「部」とは、セクション、回路、構成装置、デバイス、ユニットなど用語によっても表現される、端末装置２および基地局装置３の機能および各手順を実現する要素である。
【０１２９】
端末装置２が備える符号２０から符号２６が付された部のそれぞれは、回路として構成
されてもよい。基地局装置３が備える符号３０から符号３６が付された部のそれぞれは、回路として構成されてもよい。
【０１３０】
本発明の実施形態における、端末装置２および基地局装置３の種々の態様について説明する。
【０１３１】
（１）本発明の第１の態様は、基地局装置とセルを介して通信する端末装置であって、第１のサブキャリア間隔で報知される第１のシステム情報を受信する受信部と、前記第１のシステム情報に含まれる１つまたは複数の第２のサブキャリア間隔に関する情報に基づき、第２のサブキャリア間隔の１つを選択する制御部と、前記第２のサブキャリア間隔で信号を送信する送信部とを備え、前記第２のサブキャリア間隔に関する情報には少なくともランダムアクセスに必要なパラメータを含む第２のシステム情報のスケジューリング情報が含まれる。
【０１３２】
（２）本発明の第１の態様において、前記第２のシステム情報は第１のサブキャリア間隔で報知される。
【０１３３】
（３）本発明の第１の態様において、前記第２のサブキャリア間隔に関する情報には下りリンクのサブキャリア間隔に関する情報が含まれ、前記第２のシステム情報には、上りリンクのサブキャリア間隔に関する情報が含まれる。
【０１３４】
（４）本発明の第１の態様において、前記第１のシステム情報にはシステム情報の更新により値が変化するバリュータグが含まれ、前記バリュータグは前記１つまたは複数の第２のサブキャリア間隔に関する情報と同じ数だけ含まれる。
【０１３５】
（５）本発明の第２の態様は、端末装置とセルを介して通信する基地局装置であって、第１のシステム情報を第１のサブキャリア間隔で送信する送信部と、前記セルで使用される１つまたは複数の第２のサブキャリア間隔に関する情報を、前記第１のシステム情報に含める制御部とを備え、前記第２のサブキャリア間隔に関する情報には少なくともランダムアクセスに必要なパラメータを含む第２のシステム情報のスケジューリング情報が含まれる。
【０１３６】
（６）本発明の第２の態様において、前記第２のシステム情報は第１のサブキャリア間隔で報知される。
【０１３７】
（７）本発明の第２の態様において、前記第２のサブキャリア間隔に関する情報には下りリンクのサブキャリア間隔に関する情報が含まれ、前記第２のシステム情報には、上りリンクのサブキャリア間隔に関する情報が含まれる。
【０１３８】
（８）本発明の第２の態様において、前記第１のシステム情報にはシステム情報の更新により値が変化するバリュータグが含まれ、前記バリュータグは前記１つまたは複数の第２のサブキャリア間隔に関する情報と同じ数だけ含まれる。
【０１３９】
（９）本発明の第３の態様は、基地局装置とセルを介して通信する端末装置に適用される通信方法であって、第１のサブキャリア間隔で報知される第１のシステム情報を受信するステップと、前記第１のシステム情報に含まれる１つまたは複数の第２のサブキャリア間隔に関する情報に基づき、第２のサブキャリア間隔の１つを選択するステップと、前記第２のサブキャリア間隔で信号を送信するステップとを少なくとも含み、前記第２のサブキャリア間隔に関する情報には少なくともランダムアクセスに必要なパラメータを含む第２のシステム情報のスケジューリング情報が含まれる。
【０１４０】
（１０）本発明の第４の態様は、基地局装置とセルを介して通信する端末装置に実装される集積回路であって、第１のサブキャリア間隔で報知される第１のシステム情報を受信する機能と、前記第１のシステム情報に含まれる１つまたは複数の第２のサブキャリア間隔に関する情報に基づき、第２のサブキャリア間隔の１つを選択する機能と、前記第２のサブキャリア間隔で信号を送信する機能とを前記端末装置に対して発揮させ、前記第２のサブキャリア間隔に関する情報には少なくともランダムアクセスに必要なパラメータを含む第２のシステム情報のスケジューリング情報が含まれる。
【０１４１】
これにより、端末装置 ２および基地局装置３は、効率的に通信を行うことができる。
【０１４２】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１４３】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１４４】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０１４５】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０１４６】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノードの機能の一部または全部を有してもよい。
【０１４７】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１４８】
なお、上述した実施形態における装置の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１４９】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１５０】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１５１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５３】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2019208082.tif 000003
【図２】
2019208082.tif 000004
【図３】
2019208082.tif 000005
【図４】
2019208082.tif 000006
【図５】
2019208082.tif 000007
【図６】
2019208082.tif 000008
【図７】
2019208082.tif 000009